(57)【要約】【課題】出荷依頼のあった商品の在庫引当順として、店舗の優先順位の格付設定に店舗属性情報を用いることで、より詳細で客観的な店舗格付設定が可能になった店舗格付設定装置、店舗格付設定方法および店舗格付設定プログラムを提供することを課題とする。【解決手段】店舗発注データに対して在庫引当を行う店舗の格付順位を設定する店舗格付設定装置であって、記憶部１０６には、店舗の属性情報を記憶する属性情報記憶テーブルと、店舗格付けを数値化する格付マスタと、数値化された店舗毎の属性情報を保持する店舗マスタ１０６ｃと、属性情報を組み合わせた数値に基づいて店舗格付結果を出力する店舗属性マスタ１０６ｄとが格納され、制御部１０２は、各店舗の属性情報を収集して格付マスタで数値化して店舗マスタ１０６ｃに格納し、その属性情報を組み合わせた数値に基づいて店舗格付結果を算出する店舗属性情報作成処理部１０２ｄを備えている。【選択図】図１
2018136800.tif 000002
【特許請求の範囲】
【請求項１】
記憶部と制御部とを備え、店舗からの商品の店舗発注データに対して在庫引当を行う店舗の格付順位を設定する店舗格付設定装置であって、
前記記憶部には、
前記店舗の属性情報を記憶する属性情報記憶テーブルと、
前記属性情報記憶テーブルに基づいて前記店舗の格付けを数値化する格付マスタと、
数値化された店舗毎の属性情報を保持する店舗マスタと、
前記店舗マスタの属性情報を組み合わせた数値に基づいて店舗格付結果を出力する店舗属性マスタと、
が格納されており、
前記制御部は、
前記属性情報記憶テーブルから各店舗の属性情報を収集して前記格付マスタで数値化し、数値化した各店舗の属性情報を前記店舗マスタに格納し、前記店舗マスタの属性情報の組み合わせにより数値に基づく店舗格付結果を算出する店舗属性情報作成処理手段
を備え、
算出した店舗格付結果を在庫引当の店舗格付順位とすること、
を特徴とする店舗格付設定装置。
【請求項２】
前記属性情報は、
店舗の売上ランク、店舗の面積ランク、店舗の立地ランク、店舗の従業員数ランク、店舗の店長ランク、および、店舗のフロアランクの少なくとも一つを含むこと、
を特徴とする請求項１に記載の店舗格付設定装置。
【請求項３】
前記属性情報記憶テーブルは、
前記属性情報が店舗の売上ランクの場合に、前記店舗のＰＯＳシステムで集計された店舗毎のＰＯＳ売上データを記憶し、
前記格付マスタは、
前記ＰＯＳ売上データに基づいて前記店舗の格付けを数値化する売上ランクマスタであること、
を特徴とする請求項２に記載の店舗格付設定装置。
【請求項４】
記憶部と制御部とを備え、店舗からの商品の店舗発注データに対して在庫引当を行う店舗の格付順位を設定する店舗格付設定装置で実行される店舗格付設定方法であって、
前記記憶部には、
前記店舗の属性情報を記憶する属性情報記憶テーブルと、
前記属性情報記憶テーブルに基づいて前記店舗の格付けを数値化する格付マスタと、
数値化された店舗毎の属性情報を保持する店舗マスタと、
前記店舗マスタの属性情報を組み合わせた数値に基づいて店舗格付結果を出力する店舗属性マスタと、
が格納されており、
前記制御部で実行される、
前記属性情報記憶テーブルから各店舗の属性情報を収集して前記格付マスタで数値化し、数値化した各店舗の属性情報を前記店舗マスタに格納し、前記店舗マスタの属性情報の組み合わせにより数値に基づく店舗格付結果を算出する店舗属性情報作成処理ステップ
を含み、
算出した店舗格付結果を在庫引当の店舗格付順位とすること、
を特徴とする店舗格付設定方法。
【請求項５】
記憶部と制御部とを備え、店舗からの商品の店舗発注データに対して在庫引当を行う店舗の格付順位を設定する店舗格付設定装置で実行させるための店舗格付設定プログラムであって、
前記記憶部には、
前記店舗の属性情報を記憶する属性情報記憶テーブルと、
前記属性情報記憶テーブルに基づいて前記店舗の格付けを数値化する格付マスタと、
数値化された店舗毎の属性情報を保持する店舗マスタと、
前記店舗マスタの属性情報を組み合わせた数値に基づいて店舗格付結果を出力する店舗属性マスタと、
が格納されており、
前記制御部で実行させるための、
前記属性情報記憶テーブルから各店舗の属性情報を収集して前記格付マスタで数値化し、数値化した各店舗の属性情報を前記店舗マスタに格納し、前記店舗マスタの属性情報の組み合わせにより数値に基づく店舗格付結果を算出する店舗属性情報作成処理ステップ
を含み、
算出した店舗格付結果を在庫引当の店舗格付順位とすること、
を特徴とする店舗格付設定プログラム。
【発明の詳細な説明】
【技術分野】
【０００１】
本発明は、店舗格付設定装置、店舗格付設定方法および店舗格付設定プログラムに関する。
【背景技術】
【０００２】
特許文献１の請求項１等には、倉庫毎に機種別・顧客別・営業所別の在庫情報、販売予算、および販売計画を登録し、販売計画予測に基づき在庫引当枠を自動更新する方法が記載され、特に、請求項１１等には、顧客企業のランキングに基づいて優先引当枠演算を行うことが記載されている（例えば、段落００１７、段落００２９等を参照）。
【先行技術文献】
【特許文献】
【０００３】
【特許文献１】特開２００３−０９９５０７号公報
【発明の概要】
【発明が解決しようとする課題】
【０００４】
このように、特許文献１にあっては、在庫情報と販売計画予測とに基づいて在庫引当枠の自動更新を行い、顧客企業のランキングに基づいて優先引当枠演算を行っていたが、在庫引当を行うに当たり、店舗の優先順位の格付設定要素として店舗属性情報を組み合わせるなど、より詳細で客観的な店舗格付を行うことは困難であった。
【０００５】
本発明は、上記問題点に鑑みてなされたものであって、出荷依頼のあった商品の在庫引当順として、店舗の優先順位の格付設定に店舗属性情報を用いることで、より詳細で客観的な店舗格付設定が可能になった店舗格付設定装置、店舗格付設定方法および店舗格付設定プログラムを提供することを目的とする。
【課題を解決するための手段】
【０００６】
上述した課題を解決し、目的を達成するために、本発明に係る店舗格付設定装置は、記憶部と制御部とを備え、店舗からの商品の店舗発注データに対して在庫引当を行う店舗の格付順位を設定する店舗格付設定装置であって、前記記憶部には、前記店舗の属性情報を記憶する属性情報記憶テーブルと、前記属性情報記憶テーブルに基づいて前記店舗の格付けを数値化する格付マスタと、数値化された店舗毎の属性情報を保持する店舗マスタと、前記店舗マスタの属性情報を組み合わせた数値に基づいて店舗格付結果を出力する店舗属性マスタと、が格納されており、前記制御部は、前記属性情報記憶テーブルから各店舗の属性情報を収集して前記格付マスタで数値化し、数値化した各店舗の属性情報を前記店舗マスタに格納し、前記店舗マスタの属性情報の組み合わせにより数値に基づく店舗格付結果を算出する店舗属性情報作成処理手段を備え、算出した店舗格付結果を在庫引当の店舗格付順位とすること、を特徴とする。
【０００７】
また、本発明に係る店舗格付設定装置は、前記属性情報は、店舗の売上ランク、店舗の面積ランク、店舗の立地ランク、店舗の従業員数ランク、店舗の店長ランク、および、店舗のフロアランクの少なくとも一つを含むこと、を特徴とする。
【０００８】
また、本発明に係る店舗格付設定装置は、前記属性情報記憶テーブルは、前記属性情報が店舗の売上ランクの場合に、前記店舗のＰＯＳシステムで集計された店舗毎のＰＯＳ売上データを記憶し、前記格付マスタは、前記ＰＯＳ売上データに基づいて前記店舗の格付けを数値化する売上ランクマスタであること、を特徴とする。
【０００９】
また、本発明に係る店舗格付設定方法は、記憶部と制御部とを備え、店舗からの商品の店舗発注データに対して在庫引当を行う店舗の格付順位を設定する店舗格付設定装置で実行される店舗格付設定方法であって、前記記憶部には、前記店舗の属性情報を記憶する属性情報記憶テーブルと、前記属性情報記憶テーブルに基づいて前記店舗の格付けを数値化する格付マスタと、数値化された店舗毎の属性情報を保持する店舗マスタと、前記店舗マスタの属性情報を組み合わせた数値に基づいて店舗格付結果を出力する店舗属性マスタと、が格納されており、前記制御部で実行される、前記属性情報記憶テーブルから各店舗の属性情報を収集して前記格付マスタで数値化し、数値化した各店舗の属性情報を前記店舗マスタに格納し、前記店舗マスタの属性情報の組み合わせにより数値に基づく店舗格付結果を算出する店舗属性情報作成処理ステップを含み、算出した店舗格付結果を在庫引当の店舗格付順位とすること、を特徴とする。
【００１０】
また、本発明に係る店舗格付設定プログラムは、記憶部と制御部とを備え、店舗からの商品の店舗発注データに対して在庫引当を行う店舗の格付順位を設定する店舗格付設定装置で実行させるための店舗格付設定プログラムであって、前記記憶部には、前記店舗の属性情報を記憶する属性情報記憶テーブルと、前記属性情報記憶テーブルに基づいて前記店舗の格付けを数値化する格付マスタと、数値化された店舗毎の属性情報を保持する店舗マスタと、前記店舗マスタの属性情報を組み合わせた数値に基づいて店舗格付結果を出力する店舗属性マスタと、が格納されており、前記制御部で実行させるための、前記属性情報記憶テーブルから各店舗の属性情報を収集して前記格付マスタで数値化し、数値化した各店舗の属性情報を前記店舗マスタに格納し、前記店舗マスタの属性情報の組み合わせにより数値に基づく店舗格付結果を算出する店舗属性情報作成処理ステップを含み、算出した店舗格付結果を在庫引当の店舗格付順位とすること、を特徴とする。
【発明の効果】
【００１１】
本発明によれば、出荷依頼のあった商品の在庫引当順として、店舗の優先順位の格付設定に店舗属性情報を用いることで、より詳細で客観的な店舗格付設定が可能になったという効果を奏する。
【図面の簡単な説明】
【００１２】
【図１】図１は、在庫引当順位設定装置の構成の一例を示すブロック図である。
【図２】図２は、商品の店舗発注データに基づいて在庫引当を行って出荷依頼データを作成するまでの流れを説明するフロー図である。
【図３】図３は、上位店舗の管理を行う管理マスタの一設定例を示す図である。
【図４】図４は、商品毎の引当単位を決定する商品マスタの一設定例を示す図である。
【図５】図５は、店舗発注データに基づいて全店舗を対象に均等に在庫引当を行う場合の処理の一例を示す図である。
【図６】図６は、店舗発注データに基づいて上位店舗のみ在庫引当を行う場合の処理の一例を示す図である。
【図７】図７は、店舗発注データに基づいて上位売上店舗のみ在庫引当を行う場合の処理の一例を示す図である。
【図８】図８は、商品別の在庫引当の有無と引当の単位とを決定する商品マスタと店舗マスタの一設定例を示す図である。
【図９】図９は、店舗マスタの格付順位に応じて在庫引当を行う場合の店舗マスタ登録例と店舗発注データイメージの一例を示す図である。
【図１０】図１０は、図９の店舗発注データイメージと在庫ファイルとを比較して引当を行う一例を示す図である。
【図１１】図１１は、図１０における引当イメージと振分在庫数の調整の一例を示す図である。
【図１２】図１２は、店舗格付設定を行う場合に売上金額からランクを算出して行う一例を示す図である。
【図１３】図１３は、店舗格付設定を行う場合に店舗属性から数値をセットして行う一例を示す図である。
【図１４】図１４は、店舗格付設定を行う場合に店舗属性から格付順位をセットして行う一例を示す図である。
【図１５】図１５は、店舗売上金額から売上ランクを取得して店舗格付を行う具体例を示す図である。
【図１６】図１６は、店舗マスタから店舗属性情報を取得して店舗格付を行う具体例を示す図である。
【図１７】図１７は、入力によって店舗規模別係数をセットして店舗格付を算出する具体例を示す図である。
【発明を実施するための形態】
【００１３】
以下に、本発明に係る店舗格付設定装置、店舗格付設定方法および店舗格付設定プログラムの実施形態を、図面に基づいて詳細に説明する。なお、本発明は本実施形態により限定されるものではない。
【００１４】
［１．概要］
小売業界等では、本部に対して複数の店舗から同商品の出荷依頼があった場合の在庫引当として、例えば前週の売上実績のランキング等で引当順位を決めて、引当等が行われていたが、それ以外の店舗属性情報に基づいて引当順位を決める場合は、本部側で随時確認したり、調整を行ったりする必要があった。
【００１５】
そこで、本実施形態においては、同商品の在庫引当順を店舗別商品別等、店舗の優先順位の汎用的な格付設定を可能とした。例えば、店舗売上、店舗人員、店舗立地、店舗面積といった汎用的な店舗属性情報を任意に組み合わせ、各店舗の格付けを数値化することにより、本部側での在庫コントロールをより詳細に行えるようにする。このように、店舗属性情報を組み合わせることで、店舗格付設定を行い、その順位に応じた在庫引当処理が可能な在庫引当順位設定装置、在庫引当順位設定方法および在庫引当順位設定プログラムを提供している。以下、具体的な構成および動作について説明する。
【００１６】
［２．構成］
本発明を包含する本実施形態に係る在庫引当順位設定装置１００の構成について、図１を用いて説明する。図１は、在庫引当順位設定装置１００の構成の一例を示すブロック図である。
【００１７】
在庫引当順位設定装置１００は、市販のデスクトップ型パーソナルコンピュータである。なお、在庫引当順位設定装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１８】
在庫引当順位設定装置１００は、図１に示すように、制御部１０２と通信インターフェース部１０４と記憶部１０６と入出力インターフェース部１０８と、を備えている。在庫引当順位設定装置１００が備えている各部は、任意の通信路を介して通信可能に接続されている。
【００１９】
通信インターフェース部１０４は、ルータ等の通信装置および専用線等の有線又は無線の通信回線を介して、在庫引当順位設定装置１００をネットワーク３００に通信可能に接続する。通信インターフェース部１０４は、他の装置と通信回線を介してデータを通信する機能を有する。ここで、ネットワーク３００は、在庫引当順位設定装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００２０】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２１】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２２】
記憶部１０６は、第１のマスタとしての管理マスタ１０６ａおよび商品マスタ１０６ｂと、店舗マスタ１０６ｃと、店舗属性マスタ１０６ｄと、格付マスタとしての売上ランクマスタ１０６ｅと、店舗発注データ１０６ｆと、在庫ファイル１０６ｇと、出荷依頼データ１０６ｈと、属性情報記憶テーブルとしてのＰＯＳ（Ｐｏｉｎｔ  Ｏｆ  ｓａｌｅ  Ｓｙｓｔｅｍ）売上データ１０６ｉと、を備えている。これらのうち、売上ランクマスタ１０６ｅは、店舗の属性情報に基づいて店舗の格付けを数値化する格付マスタであればよく、必ずしも売上ランクに限定されない。また、ＰＯＳ売上データ１０６ｉも店舗の属性情報を記憶するテーブルであればよく、必ずしもＰＯＳ売上データに限定されない。さらに、店舗発注データ１０６ｆ、在庫ファイル１０６ｇおよび出荷依頼データ１０６ｈは、図１に示すように、記憶部１０６に格納されていてもよいが、店舗発注データや在庫情報をその都度取り込んで在庫引当処理を行ったり、在庫引当処理を行うことで生成された出荷依頼データを直接出力したりしてもよい。
【００２３】
記憶部１０６に格納されている前述の５つのマスタおよび前述の４つのデータ（ファイル）を含む各項目を、主に図２、図３、図４、図８、図１０、図１２、図１５、図１６および図１７を用いて詳細に説明する。図２は、商品の店舗発注データに基づいて在庫引当を行って出荷依頼データを作成するまでの流れを説明するフロー図である。図３は、上位店舗の管理を行う管理マスタの一設定例を示す図である。図４は、商品毎の引当単位を決定する商品マスタの一設定例を示す図である。また、図８は、商品別の在庫引当の有無と引当の単位とを決定する商品マスタと店舗マスタの一設定例を示す図である。図１０は、図９の店舗発注データイメージと在庫ファイルとを比較して引当を行う一例を示す図である。図１２は、店舗格付設定を行う場合に売上金額からランクを算出して行う一例を示す図である。図１５は、店舗売上金額から売上ランクを取得して店舗格付を行う具体例を示す図である。図１６は、店舗マスタから店舗属性情報を取得して店舗格付を行う具体例を示す図である。図１７は、入力によって店舗規模別係数をセットして店舗格付を算出する具体例を示す図である。
【００２４】
管理マスタ１０６ａは、在庫引当順位の設定対象となる対象店舗の条件を管理するマスタである。管理マスタ１０６ａは、図２および図３に示すように、店舗発注データに基づいて在庫引当を行う際に、引当順位の任意設定を可能にするものである。例えば、図３に示すように、引当順位の設定対象となる対象店舗の条件を“上位店舗”あるいは“売上基準額”以上と定義している。“上位店舗”とは、管理店舗のうち各種帳票や分析にて「上位」として扱う店舗を管理マスタ１０６ａに設定するもので、ここでは、上位５０店舗をその対象としている。また、“売上基準額”とは、設定金額以上の売上がある店舗を「上位」として扱い、売上優秀店舗とし、引当優先管理も管理可能とする基準金額のことである。ここでは、設定金額を￥５００，０００とし、月額の売上がこの金額を超えている店舗を管理対象とする。
【００２５】
商品マスタ１０６ｂは、管理マスタ１０６ａに設定された管理対象となる店舗に対して商品毎の引当単位を決定するマスタである。商品マスタ１０６ｂは、図２および図４に示すように、在庫引当を行う“引当ＦＬＧ”の場合、注文のあった店舗全店を対象に均等に切捨てで引当し、端数は端数区分を参照する“０：全店引当”と、管理マスタ１０６ａの上位店舗の希望数をセットした上で、余り在庫数を下位店舗に引当てる“１：上位店舗”と、月額の売上（後述する店舗マスタ１０６ｃに月額売上を保持している）が、この基準金額を超えている店舗の希望数をセットした上で下位店舗に引当てる“２：売上基準額”とが選択できる。また、商品マスタ１０６ｂは、図２および図４に示すように、端数処理を行う“引当端数”の場合、端数は在庫として残す“０：端数を在庫として残す”と、引当対象店舗内の上位店舗に端数分を引当てる“１：端数を上位店舗に引当”と、引当対象店舗内で希望数の多い順に端数を引当てる“２：端数を数量単位で引当”とを選択することができる。
【００２６】
さらに、商品マスタ１０６ｂは、図２および図８に示すように、商品毎の引当単位を決定するマスタとして店舗格付設定を数値化する“３：店舗格付”を選択した場合、店舗の属性情報に基づいて店舗の格付けを数値化して、格付順位をセットする。この格付順位は、図８に示すように、店舗マスタ１０６ｃに登録されている週次単位での売上ランクマスタや店舗マスタからセットされる。また、商品マスタ１０６ｂは、図２および図８に示すように、商品毎の引当単位を決定するマスタとして本部配分によって引当不要とする“０：引当不要（本部配分）”と、本部側で考慮されメンテナンスによって優先順位が決まる“１：店舗優先順位”と、店舗の前週の売上比（売上金額順）によって売上順位が自動セットされる“２：店舗前週売上比”とを選択することができる。
【００２７】
店舗マスタ１０６ｃは、数値化された店舗毎の属性情報を保持するマスタである。任意の属性情報を追加設定することが可能である。属性情報の設定例としては、図１６に示すように、店舗の売上ランク、店舗の面積ランク、店舗の立地ランク、店舗の従業員数ランク、店舗の店長ランク、および、店舗のフロアランクなどを一例として列挙できるが、必ずしもこれに限定されない。また、ランク付けした属性情報の和の合計で店舗格付順位を算出するだけでなく、店舗別にランク係数を設定しておき、算出された属性情報の和に対してランク係数をかけて店舗格付順位を算出してもよい。さらに、属性情報は、単体、あるいは、適宜組み合わせて数値化することにより、店舗の格付順位を決定してもよい。
【００２８】
店舗属性マスタ１０６ｄは、店舗マスタ１０６ｃの属性情報を単体あるいは適宜組み合わせた数値に基づいて店舗格付結果を出力するマスタである。店舗属性マスタ１０６ｄは、図１６および図１７に示すように、数値化された店舗別の属性情報をセットすることにより店舗格付を数値として算出することができる。また、店舗格付の算出は、図１７に示すように、数値化された店舗の属性情報を足し合わせるだけでなく、必要に応じて属性情報以外の係数（ここでは、規模別係数）を本部側で設定し、店舗毎の属性情報の和に係数を乗ずることで店舗格付を算出してもよい。これにより、異なる店舗格付結果が得られるように本部側でコントロールすることもできる。
【００２９】
売上ランクマスタ１０６ｅは、店舗の属性情報を記憶する属性情報記憶テーブル（例えば、ＰＯＳ売上データ１０６ｉ）に基づいて店舗格付を数値化する格付マスタの一つである。売上ランクマスタ１０６ｅは、図１２および図１５に示すように、属性情報が店舗の売上ランクの場合にＰＯＳ売上データ１０６ｉに基づいて店舗毎に売上金額を集計し、売上金額に応じた売上ランクにより数値化（図１５の例では、売上ランク１〜５まで）することができる。格付マスタとしては、この売上ランクマスタ１０６ｅの他、使用する属性情報に応じて図示しない面積ランクマスタ、立地ランクマスタ、従業員ランクマスタ、店長ランクマスタ、フロアランクマスタなどを備えていてもよい。なお、上記した管理マスタ１０６ａ、商品マスタ１０６ｂ、店舗マスタ１０６ｃ、店舗属性マスタ１０６ｄおよび売上ランクマスタ１０６ｅなどは、後述する制御部１０２のマスタメンテ部１０２ｅによってメンテナンスを行うことができる。
【００３０】
店舗発注データ１０６ｆは、店舗から本部に対して商品を発注する発注データである。店舗発注データ１０６ｆは、店舗からパソコンなどの端末を使って発注データを入力する他、店舗従業員がハンディターミナルから発注データをハンディ送信し、店舗発注データハンディ取込により入力することで格納される。
【００３１】
在庫ファイル１０６ｇは、本部側の商品別の在庫情報が記憶され、リアルタイムで更新される。在庫ファイル１０６ｇは、店舗から商品の店舗発注データが来て受注すると、在庫引当が行われて販売可能在庫数が減少し、実際に店舗に商品が出荷されて売上計上されると、実在庫数が減少する。このように、在庫引当は、発注数と在庫ファイル１０６ｇの在庫数とを比較することで行われる。
【００３２】
出荷依頼データ１０６ｈは、店舗発注データ１０６ｆによる商品の発注数と在庫ファイル１０６ｇによる在庫数とを比較して在庫引当を行い、在庫商品を各店舗に対してどのように振分けて出荷するかという出荷データを生成し格納する。出荷依頼データ１０６ｈは、図１０に示すように、店舗発注データ１０６ｆに対して店舗マスタ１０６ｃ、商品マスタ１０６ｂ、在庫ファイル１０６ｇを用いて在庫引当を行うことにより出荷依頼データ１０６ｈが生成される。
【００３３】
ＰＯＳ売上データ１０６ｉは、店舗の属性情報の一つとして店舗のＰＯＳシステムにより集計された店舗毎の売上データである。ＰＯＳ売上データ１０６ｉは、図１２および図１５に示すように、店舗の売上計上日毎の売上金額が計上され、これらを集計することにより店舗毎の週単位あるいは月単位の売上金額を算出することができる。
【００３４】
制御部１０２は、在庫引当順位設定装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。ここで、制御部１０２は、機能概念的に、（Ａ）店舗発注データ取込部１０２ａ、（Ｂ）引当順位決定手段としての引当順位決定部１０２ｂ、（Ｃ）在庫引当処理手段としての在庫引当処理部１０２ｃ、（Ｄ）店舗属性情報作成処理手段としての店舗属性情報作成処理部１０２ｄ、（Ｅ）マスタメンテ部１０２ｅ等を備えている。これらのうち、（イ）店舗から本部へ同商品の出荷依頼があって在庫数との関係で在庫引当を行う場合に、店舗発注データ取込部１０２ａと引当順位決定部１０２ｂと在庫引当処理部１０２ｃとにより、引当順位の設定と、端数が生じた場合の振分け処理を行って出荷依頼データを作成する処理と、（ロ）在庫引当を行う場合に、店舗属性情報作成処理部１０２ｄにより店舗格付設定を行うことにより引当優先順位を決定する処理とに分けて、以下の［３．処理の具体例］にて詳細に説明する。
【００３５】
［３．処理の具体例］
本実施形態に係る処理の具体例について、図２〜図１７を参照して詳細に説明する。図５は、店舗発注データに基づいて全店舗を対象に均等に在庫引当を行う場合の処理の一例を示す図である。図６は、店舗発注データに基づいて上位店舗のみ在庫引当を行う場合の処理の一例を示す図である。図７は、店舗発注データに基づいて上位売上店舗のみ在庫引当を行う場合の処理の一例を示す図である。図９は、店舗マスタの格付順位に応じて在庫引当を行う場合の店舗マスタ登録例と店舗発注データイメージの一例を示す図である。図１１は、図１０における引当イメージと振分在庫数の調整の一例を示す図である。図１３は、店舗格付設定を行う場合に店舗属性から数値をセットして行う一例を示す図である。図１４は、店舗格付設定を行う場合に店舗属性から格付順位をセットして行う一例を示す図である。
【００３６】
（イ）店舗からの出荷依頼に対し在庫引当する場合の引当順位の設定と端数の振分処理
ここで、本実施形態における処理の概略を説明する。本実施形態では、例えば小売業界等で本部に対して系列店舗から同商品の出荷依頼（店舗発注データ）があると、在庫に対して在庫引当が行われる。在庫引当は、販売可能在庫を確認する作業であり、出荷依頼がある度に販売可能在庫数が減り、販売可能在庫数が「０」になるとそれ以上出荷できなくなって、注文待ちとなる。また、複数の店舗から本部に対して商品の出荷依頼があって発注数が在庫数を超えた場合は、在庫商品を各店舗にどのように振分けるかが問題となる。これまでは、システム上で画一的に振分けたり、本部側の判断によって振分けたりするなど、在庫引当の引当基準が曖昧であった。そこで、本実施形態では、幾つかの引当基準をパターン化しておき、状況に応じて引当基準を選択できるようにするものである。
【００３７】
まず、本実施形態に係る在庫引当順位設定装置１００は、図１および図２に示すように、店舗から商品の出荷依頼としてパソコンなどからの店舗発注入力やハンディターミナルからのハンディ送信があると、ネットワーク３００と通信インターフェース部１０４を介して、店舗発注データ取込部１０２ａから店舗発注データ１０６ｆに店舗からの発注データが取り込まれる。
【００３８】
［在庫引当処理］
在庫引当順位設定装置１００の引当順位決定部１０２ｂは、図３および図４に示すように、管理マスタ１０６ａと商品マスタ１０６ｂとを用いて在庫引当の引当順位を決定する。例えば、商品マスタ１０６ｂの引当ＦＬＧを“０：全店引当”にすると、図４に示すように、注文のあった店舗全店を対象に均等に切捨てで引当し、端数は端数区分を参照する。全店引当の在庫引当処理は、図５を用いて具体的に説明する。
【００３９】
（全店引当の場合）
引当順位決定部１０２ｂは、商品マスタ１０６ｂの引当ＦＬＧを“０：全店引当”とすると、図５に示すように、（１）Ａ〜Ｄまでの４つの店舗から商品１に対して発注依頼があって（発注依頼合計が「２２」）、在庫ファイル１０６ｇの在庫数が「２０」の場合、注文のあった店舗全店を対象に均等に切捨てで引当する。つまり、図５の例の各店舗の発注依頼数は、
Ａ店舗    ５
Ｂ店舗    ３
Ｃ店舗    １０
Ｄ店舗    ４
となり、発注依頼合計が「２２」に対して在庫数が「２０」であるので、在庫が足りない状況にある。
【００４０】
そこで、在庫引当処理部１０２ｃは、店舗全店を対象に均等に在庫引当を行うため、図５の（２）に示すように、発注依頼合計「２２」に対して各店舗の発注依頼数の割合を算出する。
Ａ店舗    ５÷  ２２×１００≒２２．７％
Ｂ店舗    ３÷  ２２×１００≒１３．６％
Ｃ店舗    １０÷２２×１００≒４５．５％
Ｄ店舗    ４÷  ２２×１００≒１８．２％
そして、この割合で在庫数「２０」を均等に切捨てで引当すると、
Ａ店舗    ２０×２２．７÷１００＝４．５４→４
Ｂ店舗    ２０×１３．６÷１００＝２．７２→２
Ｃ店舗    ２０×４５．５÷１００＝９．１  →９
Ｄ店舗    ２０×１８．２÷１００＝３．６４→３
となり、引当数が「１８」で、端数が「２」となる。
【００４１】
端数の扱いは、商品マスタ１０６ｂの端数区分を参照するため、図４に示すように、引当端数の“０：端数を在庫として残す”が選択されていれば、端数「２」を引当せずに、在庫として保持する。また、引当端数の“１：端数を上位店舗に引当”が選択されていれば、図５の（３）に示すように、引当対象店舗内の上位店舗（ここでは、Ａ店舗から順に下位となる）に端数分を引当てるため、Ａ店舗とＢ店舗に一つずつ引当てられ、
Ａ店舗    ５
Ｂ店舗    ３
Ｃ店舗    ９
Ｄ店舗    ３
となる。
【００４２】
また、引当端数の“２：端数を数量単位で引当”が選択されていれば、図５の（４）に示すように、引当対象店舗内で希望数の多い順に端数を引当てられるため、Ｃ店舗、Ａ店舗の順で希望数が多く、それぞれの店舗に一つずつ引当てられ、
Ａ店舗    ５
Ｂ店舗    ２
Ｃ店舗    １０
Ｄ店舗    ３
となる。
【００４３】
（上位店舗引当の場合）
引当順位決定部１０２ｂは、商品マスタ１０６ｂの引当ＦＬＧを“１：上位店舗”とすると、図６に示すように、（１）Ａ〜Ｄまでの４つの店舗から商品１に対して発注依頼があって（発注依頼合計が「２２」）、在庫ファイル１０６ｇの在庫数が「２０」の場合、図３の管理マスタ１０６ａの上位店舗の希望数「５０」をセットした上で、余り在庫数を下位店舗に引当てる。つまり、図６の例で上位店舗５０位以上の店舗は、
Ａ店舗    ５    順位    ５
Ｂ店舗    ３    順位    ２０
Ｃ店舗    １０  順位    ３５
Ｄ店舗    ４    順位    ６０
Ａ、Ｂ、Ｃ店舗となり、Ｄ店舗は引当を行わない。このため、図６の（２）示すように、Ａ、Ｂ、Ｃ店舗の発注依頼合計が「１８」に対して在庫数が「２０」であるので、在庫が足りる状況にあり、引当数が「１８」で、余りが「２」となる。
【００４４】
これに対して、在庫ファイル１０６ｇの在庫数が「１５」の場合は、図６の（３）に示すように、Ａ、Ｂ、Ｃ店舗の発注依頼合計が「１８」に対して在庫数が「１５」であるので、在庫が足りない状況となり、割合に応じて在庫引当をするため、
Ａ店舗    １５×２７．７÷１００≒４．１５→４
Ｂ店舗    １５×１６．７÷１００≒２．５０→２
Ｃ店舗    １５×５５．６÷１００＝８．３４→８
となり、引当数が「１４」で、端数が「１」となる。
【００４５】
端数の扱いは、商品マスタ１０６ｂの端数区分を参照するため、図４に示すように、引当端数の“０：端数を在庫として残す”が選択されていれば、端数「１」を引当せずに、在庫として保持する。また、引当端数の“１：端数を上位店舗に引当”が選択されていれば、図６の（４）に示すように、引当対象店舗内の上位店舗（ここでは、Ａ店舗）に端数分を引当てるため、Ａ店舗の引当数が「４」→「５」に変わる。
【００４６】
また、引当端数の“２：端数を数量単位で引当”が選択されていれば、図６の（５）に示すように、引当対象店舗内で希望数の多い順に端数が引当てられるため、Ｃ店舗の引当数が「８」→「９」に変わる。
【００４７】
（売上基準額判断の場合）
引当順位決定部１０２ｂは、商品マスタ１０６ｂの引当ＦＬＧを“２：売上基準額”とすると、図７に示すように、（１）Ａ〜Ｄまでの４つの店舗から商品１に対して発注依頼があって（発注依頼合計が「２２」）、在庫ファイル１０６ｇの在庫数が「２０」の場合、図３の管理マスタ１０６ａにセットされた売上基準額「￥５００，０００」を超えている店舗の希望数をセットした上で、余り在庫数を下位店舗に引当てる。つまり、図７の例の各店舗の売上は、
Ａ店舗    ５    売上    ￥４５０，０００
Ｂ店舗    ３    売上    ￥５５０，０００
Ｃ店舗    １０  売上    ￥３５０，０００
Ｄ店舗    ４    売上    ￥６００，０００
となる。この場合、売上が￥５００，０００以下の店舗であるＡ店舗とＣ店舗は、引当を行わない。このため、図７の（２）示すように、Ｂ店舗とＤ店舗の発注依頼合計が「７」に対して在庫数が「２０」あるので、在庫が足りる状況にあり、引当数が「７」で、余りが「１３」となる。
【００４８】
これに対して、在庫ファイル１０６ｇの在庫数が「５」の場合は、図７の（３）に示すように、Ｂ店舗とＤ店舗の発注依頼合計が「７」に対して在庫数が「５」であるため、在庫が足りない状況となり、割合に応じて在庫引当をするため、
Ｂ店舗    ５×４２．８÷１００＝２．１４→２
Ｄ店舗    ５×５７．１÷１００≒２．８５→２
となり、引当数が「４」で、端数が「１」となる。
【００４９】
端数の扱いは、商品マスタ１０６ｂの端数区分を参照するため、図４に示すように、引当端数の“０：端数を在庫として残す”が選択されていれば、端数「１」を引当せずに、在庫として保持する。また、引当端数の“１：端数を上位店舗に引当”が選択されていれば、図７の（４）に示すように、引当対象店舗内の上位店舗（ここでは、売上の多いＤ店舗）に端数分を引当てるため、Ｄ店舗の引当数が「２」→「３」に変わる。
【００５０】
また、引当端数の“２：端数を数量単位で引当”が選択されていれば、図７の（５）に示すように、引当対象店舗内で希望数の多い順に端数が引当てられるため、Ｄ店舗の引当数が「２」→「３」に変わる。
【００５１】
このように、本実施形態に係る在庫引当順位設定装置１００は、管理マスタ１０６ａと商品マスタ１０６ｂとに基づいて引当順位決定部１０２ｂにより引当順位を決定した後、在庫引当処理部１０２ｃにより在庫数に対して各店舗の引当数を決定して、出荷データを生成する。生成された商品の出荷データは、出荷依頼データ１０６ｈとして格納され、出荷時に使用される。
【００５２】
以上説明したように、本実施形態に係る在庫引当順位設定装置１００によれば、上記（イ）の店舗からの出荷依頼に対して在庫引当を行う場合に、引当順位の設定と端数の振分処理の管理をマスタ設定により行うようにしたため、マスタを参照することで状況に応じて容易に引当順位や端数の振分処理が適宜選択可能になった。
【００５３】
（ロ）在庫引当時の引当優先順位を店舗格付設定により決定する処理
上記（イ）では、在庫引当を行うにあたって、マスタ設定された引当順位や端数の振分処理を用いて引当処理を行い、出荷依頼データを生成している。この（ロ）では、マスタ設定する際に、引当順位をどのような基準に基づいて決定するのかについて説明する。本実施形態では、店舗の種々の属性を数値化して店舗別にセットし、店舗格付順位を算出して、その格付順位に基づいて在庫引当が行われる。
【００５４】
［店舗属性情報作成処理］
在庫引当順位設定装置１００の店舗属性情報作成処理部１０２ｄは、店舗の種々の属性情報を数値化し、店舗別に属性情報を店舗属性マスタ１０６ｄにセットし、店舗格付を算出する。この算出された店舗の格付順位は、在庫引当の引当順位として用いることができる。商品別に在庫引当を行うか否かは、図８の商品マスタ１０６ｂによる引当単位により決定する。在庫引当を行わずに本部側の配分による場合は“０：引当不要（本部配分）”とし、在庫引当を行い店舗の優先順位を本部側で設定する場合は“１：店舗優先順位”とし、在庫引当を行い店舗の売上順位を売上金額順で自動セットする場合は“２：店舗前週売上比”とし、在庫引当を行い店舗の格付順位を週単位で売上ランクマスタや店舗マスタからセットする場合は“３：店舗格付”とする。このように、図８に示す店舗マスタ１０６ｃは、商品マスタ１０６ｂにおいて商品別に在庫引当を行う場合の順位（ランク）を設定するものである。
【００５５】
例えば、図９に示すように、複数の店舗から本部へ送信された店舗発注データ１０６ｆには、発注ＪＡＮＣＤが“１２３４５６７８９０１２３４”の商品と、“１２３４５６７８９０１２３５”の商品の発注データがある。ここでは、破線で囲った“１２３４５６７８９０１２３４”の商品を発注した４つの店舗番号の店舗格付順位は、商品マスタ１０６ｂの引当単位が“３：店舗格付”となっていて、店舗マスタ１０６ｃの格付順位が高い順に、“０１”（９９○○店（新店））、“０２”（９８△△店（新店））、“５０”（０１□□店（既存店））、“７０”（０２××店（既存店））の順に登録されている。ここで、破線で囲った“１２３４５６７８９０１２３４”の商品について在庫引当処理を行う場合、在庫引当処理部１０２ｃは、図１０に示すように、店舗発注データイメージの発注数と在庫ファイル１０６ｇの在庫数とを比較して引当が行われる。
【００５６】
具体的には、図１１に示すように、総在庫数が「２１」に対して発注数量の合計は「２２」と１個分だけ発注数量が多い。このため、発注数量の合計に対する各店舗の発注数量の割合を算出し、これを総在庫数「２１」に対して割合を乗算した値を四捨五入する。
在庫数（２１）×（割合）２２．７％→（計算在庫）４．７６７→（振分在庫数）５
在庫数（２１）×（割合）１３．６％→（計算在庫）２．８５６→（振分在庫数）３
在庫数（２１）×（割合）４５．５％→（計算在庫）９．５５５→（振分在庫数）１０
在庫数（２１）×（割合）１８．２％→（計算在庫）３．８２２→（振分在庫数）４
となり、発注数量と同じ振分となるため、総在庫数に合うように店舗格付（優先順位）の低い店舗の商品から振分在庫数を調整する。ここでは、“０２××店（既存店）”の順位が一番低いため、ここの振分在庫数を４→３に変更して調整する。
【００５７】
このように、在庫引当を行うにあたり、上記図９の店舗マスタ１０６ｃに登録されている格付順位を引当順位に用いているため、格付順位の設定方法の一例を以下に説明する。
【００５８】
（ＰＯＳ売上データから売上ランクを取得して店舗属性マスタに格納）
店舗属性情報作成処理部１０２ｄは、店舗属性情報を作成し、その店舗属性情報を数値化し、店舗別にセットすることにより、各店舗を数値によって格付することができる。例えば、図１２に示すように、店舗のＰＯＳシステムを使ってＰＯＳ売上データ１０６ｉを収集し、売上ランクマスタ１０６ｅによって売上金額に応じたランク付けを行うことで店舗の格付けを数値化することができる。具体的には、“店舗０１□□店（既存店）”の売上金額が￥２５０，０００というＰＯＳ売上データを収集し、売上ランクマスタ１０６ｅに照合すると、ランク「２」に該当するため、その店舗ランクを算出して店舗属性マスタ１０６ｄに格納する。
【００５９】
また、上記と同様の別の実施例では、図１５に示すように、店舗属性情報作成処理部１０２ｄは、ＰＯＳ売上データ１０６ｉとして売上店舗が○○店の売上金額と、××店の売上金額とを収集して集計し、○○店の売上計￥４６，０００と、××店の売上計￥２８，０００を売上ランクマスタ１０６ｅに照合し、売上ランクを取得する。図１５の例では、○○店の売上計￥４６，０００ではランク「４」となり、××店の売上計￥２８，０００ではランク「３」となる。そして、店舗属性情報作成処理部１０２ｄは、取得した売上ランクを店舗売上ランクとして店舗属性マスタ１０６ｄにセットする。
【００６０】
（店舗マスタに数値化した属性情報を設定し店舗属性マスタに格納）
店舗属性情報作成処理部１０２ｄは、図１３に示すように、店舗マスタ１０６ｃに対して任意の属性情報を追加設定することができる。例えば、店舗の面積ランク、立地ランク、従業員数ランク、フロア情報ランク（フロアランク）の他、店舗の店長ランクなどを設定してもよい。追加する属性情報は、任意で数値化しておき、店舗別にセットする。また、店舗属性情報作成処理部１０２ｄは、店舗マスタ１０６ｃに数値化した任意の属性情報を追加設定するだけでなく、例えば店舗の規模に応じて店舗ランク係数を定めておき、この店舗ランク係数を算出された値にかけることで店舗格付順位を算出してもよい。この店舗ランク係数を採用した場合は、係数を「０」にしておくことで引当しない店舗を容易に設定できる。このように、任意に追加した数値化された属性情報は、上記した店舗属性マスタに対して追加セットする。
【００６１】
また、上記と同様の別の実施例では、図１６に示すように、店舗マスタ１０６ｃに数値化した任意の属性情報を追加設定している。具体的には、店舗マスタ１０６ｃの○○店と××店に対し、面積ランク（属性１）、立地ランク（属性２）、従業員数ランク（属性３）、店長ランク（属性４）およびフロアランク（属性５）などの属性情報を追加設定している。そして、店舗属性情報作成処理部１０２ｄは、店舗マスタ１０６ｃに追加設定された店舗別の属性情報を店舗属性マスタ１０６ｄに対してリセットする。これにより、店舗属性マスタ１０６ｄは、格納してあった店舗売上ランクに加えて、属性１〜属性５のランク情報を追加することができる。
【００６２】
（店舗属性マスタにセットした属性情報により店舗マスタの格付順位をセット）
店舗属性情報作成処理部１０２ｄは、図１３に示す店舗属性マスタ１０６ｄにセットされたランクを店舗別に計算することにより、店舗格付順位を算出することができる。この算出結果は、図１４に示すように、店舗マスタ１０６ｃにおける各店舗の格付順位としてセットされる。この格付順位の算出処理は、スケジュール化することで定期的に情報内容を更新し、常に最新の格付順位が登録されるようにしている。例えば、店舗属性情報作成処理部１０２ｄは、図１４に示すように、週に１度店舗の属性情報の売上順を更新することにより、店舗マスタ１０６ｃの格付順位も１週間毎に更新することができる。在庫引当処理部１０２ｃは、店舗発注データ１０６ｆとこの店舗マスタ１０６ｃの格付順位とを用いて在庫引当処理を行い、出荷依頼データ１０６ｈを作成することができる。
【００６３】
また、上記と同様の別の実施例では、図１７に示すように、店舗属性マスタ１０６ｄに対して、店舗売上ランクと属性１〜属性５のランクが店舗別にセットされていると共に、ここでは、店舗の規模別にランク係数を定めた規模別係数（例えば、○○店は「１．２」、××店は「１．５」）がセットされる。店舗属性情報作成処理部１０２ｄは、店舗属性マスタ１０６ｄにセットされた数値を店舗別に計算することにより、店舗格付を算出することができる。例えば、図１７に示すように、
○○店・・・（４＋２＋１＋３＋４＋５）×１．２＝２２．８
××店・・・（３＋３＋１＋５＋２＋１）×１．５＝２２．５
となり、同商品の在庫引当を行う場合は、店舗格付の値の大きい○○店の方を優先して引当を行うようにする。
【００６４】
以上説明したように、本実施形態に係る在庫引当順位設定装置１００によれば、出荷依頼のあった商品の在庫引当順を設定する際に、店舗の優先順位の格付設定に任意の店舗属性情報を用いることで、より詳細で客観的な店舗格付設定が可能になった。例えば、商品マスタ１０６ｂの引当単位を店舗格付とし、店舗格付順位を設定する場合は、店舗マスタ１０６ｃに対して店舗の任意の属性情報を数値化したものを店舗別にセットすることで、自由に属性情報を組み合わせて店舗格付設定を行うことが可能になる。
【００６５】
［４．他の実施形態］
本発明は、上述した実施形態以外にも、特許請求の範囲に記載した技術的思想の範囲内において種々の異なる実施形態にて実施されてよいものである。
【００６６】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６７】
また、本明細書中や図面中で示した処理手順、制御手順、具体的名称、各処理の登録データや検索条件等のパラメータを含む情報、画面例、データベース構成については、特記する場合を除いて任意に変更することができる。
【００６８】
また、在庫引当順位設定装置１００に関して、図示の各構成要素は機能概念的なものであり、必ずしも物理的に図示の如く構成されていることを要しない。
【００６９】
例えば、在庫引当順位設定装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて在庫引当順位設定装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７０】
また、このコンピュータプログラムは、在庫引当順位設定装置１００に対して任意のネットワークを介して接続されたアプリケーションプログラムサーバに記憶されていてもよく、必要に応じてその全部または一部をダウンロードすることも可能である。
【００７１】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００７２】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものを含む。なお、実施形態に示した各装置において記録媒体を読み取るための具体的な構成および読み取り手順ならびに読み取り後のインストール手順等については、周知の構成や手順を用いることができる。
【００７３】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７４】
また、在庫引当順位設定装置１００は、既知のパーソナルコンピュータまたはワークステーション等の情報処理装置として構成してもよく、また、任意の周辺装置が接続された当該情報処理装置として構成してもよい。また、在庫引当順位設定装置１００は、当該情報処理装置に本実施形態で説明した処理を実現させるソフトウェア（プログラムまたはデータ等を含む）を実装することにより実現してもよい。
【００７５】
更に、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７６】
本発明は、特に、小売業界等の分野において有用である。
【符号の説明】
【００７７】
１００  在庫引当順位設定装置
１０２  制御部
１０２ａ  店舗発注データ取込部
１０２ｂ  引当順位決定部
１０２ｃ  在庫引当処理部
１０２ｄ  店舗属性情報作成処理部
１０２ｅ  マスタメンテ部
１０４  通信インターフェース部
１０６  記憶部
１０６ａ  管理マスタ
１０６ｂ  商品マスタ
１０６ｃ  店舗マスタ
１０６ｄ  店舗属性マスタ
１０６ｅ  売上ランクマスタ
１０６ｆ  店舗発注データ
１０６ｇ  在庫ファイル
１０６ｈ  出荷依頼データ
１０６ｉ  ＰＯＳ売上データ
１０８  入出力インターフェース部
１１２  入力装置
１１４  出力装置
２００  サーバ
３００  ネットワーク
【図１】
2018136800.tif 000003
【図２】
2018136800.tif 000004
【図３】
2018136800.tif 000005
【図４】
2018136800.tif 000006
【図５】
2018136800.tif 000007
【図６】
2018136800.tif 000008
【図７】
2018136800.tif 000009
【図８】
2018136800.tif 000010
【図９】
2018136800.tif 000011
【図１０】
2018136800.tif 000012
【図１１】
2018136800.tif 000013
【図１２】
2018136800.tif 000014
【図１３】
2018136800.tif 000015
【図１４】
2018136800.tif 000016
【図１５】
2018136800.tif 000017
【図１６】
2018136800.tif 000018
【図１７】
2018136800.tif 000019